(57)【特許請求の範囲】
【請求項１】
レンズを備えた移動体と、
コイルとマグネットを備え、前記移動体を光軸方向に駆動する磁気駆動機構と、
バネ部材を介して前記移動体を光軸方向に移動可能に支持する、前記マグネットを固定した鋼板からなるヨークを有する固定体と、
を有するレンズ駆動装置において、
前記バネ部材は、電気的に分割された複数のバネ片を備え、
前記コイルから引き出された複数のコイル端部は、前記複数のバネ片のうち各々異なるバネ片に電気的に接続されており、
前記マグネットの全面には、防錆性を有する金属メッキを施し、
前記複数のバネ片と前記金属メッキを施したマグネットとが対向する位置には、これらを電気的に絶縁する絶縁部として、前記金属メッキを施したマグネットの全面に、絶縁用被膜が形成されていることを特徴とするレンズ駆動装置。
【請求項２】
前記複数のバネ片には、絶縁用被膜が形成されていることを特徴とする請求項１記載のレンズ駆動装置。
【請求項３】
前記バネ部材は、光軸方向において離間する二箇所に配置された第一のバネ部材と第二のバネ部材を備え、
前記第一のバネ部材と前記第二のバネ部材のうちいずれか一方のバネ部材が、前記複数のバネ片に分割されていることを特徴とする請求項１又は２記載のレンズ駆動装置。
【請求項４】
前記一方のバネ部材に近い前記マグネットに、絶縁用被膜が形成されていることを特徴とする請求項３記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する磁気駆動機構を備えており、スイッチの切り替えによってこの磁気駆動機構を駆動し、レンズを光軸方向に移動させることができるようになっている。例えば、レンズを備えた移動体と、光軸方向において離間する２箇所に配置された２枚の板バネを介して、移動体を光軸方向に移動可能に支持する固定体と、コイルとマグネットにより、移動体を光軸方向に駆動する磁気駆動機構と、を有するレンズ駆動装置が提案されている。また、コイルから引き出された２本のコイル端部を、各々２枚の板バネに接続し、２枚の板バネを介してコイルに給電する構造のレンズ駆動装置が提案されている（例えば特許文献１，２参照）。
【０００４】
【特許文献１】特開２００５−１２８３９２号公報
【特許文献２】特開２００６−２０１５２５号公報
【発明の開示】
【発明が解決しようとする課題】
【０００５】
しかしながら、通常、マグネットはサビに弱いため、その表面をメッキ処理等により、防錆性を有する膜で覆うようにしている。この防錆性を有する膜は、導電性を有している場合が多い。
【０００６】
このため、板バネをコイルへの給電に使用する場合において、仮に板バネがマグネットに接触してしまうと、電気的な短絡が生じてしまう。その結果、アクチュエータの動作が不安定になったり、アクチュエータ駆動回路を破損させたりする虞がある。例えば、レンズ駆動装置が組み込まれた物を高い所から落としてしまった場合など、通常の動作では考えられないような、レンズ駆動装置が強い衝撃を受けた場合に、板バネがマグネットに接触する場合があり、このような弊害が生じる虞がある。
【０００７】
本発明は、以上の点に鑑みてなされたものであり、その目的は、板バネとマグネットとが電気的に短絡してしまうのを防ぎ、ひいてはアクチュエータの動作安定性を高めることが可能なレンズ駆動装置を提供することにある。
【課題を解決するための手段】
【０００８】
以上のような課題を解決するために、本発明は、以下のものを提供する。
【０００９】
（１）  レンズを備えた移動体と、コイルとマグネットを備え、前記移動体を光軸方向に駆動する磁気駆動機構と、バネ部材を介して前記移動体を光軸方向に移動可能に支持する、前記マグネットを固定した鋼板からなるヨークを有する固定体と、を有するレンズ駆動装置において、前記バネ部材は、電気的に分割された複数のバネ片を備え、前記コイルから引き出された複数のコイル端部は、前記複数のバネ片のうち各々異なるバネ片に電気的に接続されており、前記マグネットの全面には、防錆性を有する金属メッキを施し、前記複数のバネ片と前記金属メッキを施したマグネットとが対向する位置には、これらを電気的に絶縁する絶縁部として、前記金属メッキを施したマグネットの全面に、絶縁用被膜が形成されていることを特徴とするレンズ駆動装置。
【００１０】
本発明によれば、移動体と、バネ部材を介して移動体を支持する固定体と、移動体を駆動する磁気駆動機構を有するレンズ駆動装置で、バネ部材は、電気的に分割されるとともに、コイルへの給電機能を有する複数のバネ片を備え、これら複数のバネ片とマグネットとが対向する位置に絶縁部が介在することとしたので、レンズ駆動装置が強い衝撃を受けて、仮に、バネ片とマグネットとが接触した場合であっても、電気的な短絡が生じるのを防ぐことができる。
【００１１】
したがって、このような場合であっても、アクチュエータの動作が不安定になったり、アクチュエータ駆動回路が破損したりするのを防ぐことができる。
【００１２】
ここで、複数のバネ片とマグネットの間に介在する「絶縁部」は、少なくとも電気を導通させにくくするものであれば、如何なるものであってもよい（必ずしも完全非導通でなくてよい）。例えば、絶縁用被膜であってもよいし、樹脂などの絶縁体部品であってもよいし、樹脂などからなる絶縁体シールであってもよい。さらには、絶縁体の接着剤やゲルであってもよい。
【００１３】
（２）  前記複数のバネ片には、絶縁用被膜が形成されていることを特徴とするレンズ駆動装置。
【００１４】
本発明によれば、上述した複数のバネ片又はマグネットには、絶縁用被膜が形成されていることとしたので、被膜形成工程（例えば蒸着工程）を経るだけで絶縁部を構成することができる。その結果、上述した絶縁部を簡易に構成することができ、ひいては製造工程の容易化に資することができる。また、厚みを薄くすることができるので、光軸方向におけるスペースをとらず、小型化要求を満足しつつ、電気的短絡を防ぐことができる。
【００１５】
（３）  前記バネ部材は、光軸方向において離間する二箇所に配置された第一のバネ部材と第二のバネ部材を備え、前記第一のバネ部材と前記第二のバネ部材のうちいずれか一方のバネ部材が、前記複数のバネ片に分割されていることを特徴とするレンズ駆動装置。
【００１６】
本発明によれば、上述したバネ部材は、光軸方向において離間する二箇所に配置された第一のバネ部材と第二のバネ部材を備え、第一のバネ部材と第二のバネ部材のうちいずれか一方のバネ部材が、複数のバネ片に分割されていることとしたので、２個のバネ部材により、静止時又は可動時の移動体がガタつくのを防ぎつつ、アクチュエータの動作安定性を高めることができる。
【００１７】
（４）  前記一方のバネ部材に近い前記マグネットに、絶縁用被膜が形成されていることを特徴とするレンズ駆動装置。
【００１８】
本発明によれば、上述した一方のバネ部材に近いマグネットに、絶縁用被膜が形成されていることとしたので、必要最小限の絶縁用被膜を形成するようにして、コスト削減を図ることができる。また、バネ部材よりも形状が簡易なマグネットに絶縁用被膜を形成することで、製造工程の容易化を図ることができる。さらに、バネ部材に被膜を形成した場合、バネ定数を左右する要因が増える結果、バネ定数のばらつきが大きくなる虞がある。本発明によれば、このような問題も回避することができる。
【００１９】
なお、マグネット全面に絶縁用被膜を形成することとしてもよいし、マグネット一部に絶縁用被膜を形成することとしてもよい。マグネット全面に形成することで、メッキ（コーティング）しない箇所をマスキングする作業が不要になり、ひいては被膜形成工程（蒸着工程）を容易化でき、また、コスト削減に寄与することができる。
【００２０】
また、本発明のレンズ駆動装置は、前記マグネットのうち前記複数のバネ片と対向する面に、絶縁用被膜が形成されていることを特徴とする。
【００２１】
本発明によれば、マグネットのうち複数のバネ片と対向する面に、絶縁用被膜が形成されていることとしたので、絶縁用被膜に用いる樹脂等の使用量を減らすことができ、ひいてはコスト削減を図ることができる。
【発明の効果】
【００２２】
本発明に係るレンズ駆動装置によれば、不必要な電気的短絡が起きるのを防ぐことができ、ひいてはアクチュエータの動作安定性を高めることができる。
【発明を実施するための最良の形態】
【００２３】
以下、本発明を実施するための最良の形態について、図面を参照しながら説明する。
【００２４】
［機械構成］
図１は、本発明の実施の形態に係るレンズ駆動装置１の機械構成を示す分解斜視図である。
【００２５】
図１において、レンズ駆動装置１は、キャップ１１と、板状カバー１２と、ヨーク１３と、マグネット１４と、第一の板バネ１５と、ワイヤースプリング１６と、移動体１７と、第二の板バネ１８と、ホルダー１９と、ターミナル２０と、を有している。なお、説明の便宜上、一又は複数枚のレンズを備え、移動体１７の内部に取り付ける円筒状のレンズホルダは、図示を省略している。そして、レンズ駆動装置１は、移動体１７を、光軸Ｌ方向に沿って被写体（撮像対象）に近づくＡ方向（前側）、および、被写体とは反対側（像側）に近づくＢ方向（後側）の双方向に移動させるものである、
【００２６】
なお、キャップ１１と、板状カバー１２と、ヨーク１３と、ホルダー１９は、第一の板バネ１５及び第二の板バネ１８を介して、移動体１７を光軸方向に移動可能に支持する「固定体」の一例として機能する。また、本実施形態では、固定体の外周形状は、略長方形となっている。
【００２７】
キャップ１１は、板状カバー１２の被写体側を覆うものであって、キャップ１１及び板状カバー１２の中央には、被写体からの反射光をレンズに取り込むための円形の入射窓１１０，１２０が各々形成されている。ヨーク１３は、板状カバー１２とホルダー１９との間に挟持されることになり、例えば鋼板などの強磁性板から構成され、角筒状を呈している。また、ヨーク１３は、レンズ駆動装置１の側面で露出し、その側面部を構成している。ホルダー１９は、像側で撮像素子（図示せず）を保持するものである。
【００２８】
移動体１７は、スリーブ１７０と、第一のコイル１７１と、第二のコイル１７２と、を有している。第一のコイル１７１及び第二のコイル１７２は、スリーブ１７０の外周面に光軸Ｌ方向に２段に配置され、移動体１７の形状は円環状となっている。なお、移動体１７は、固定体を構成するヨーク１３の内周に収納されており、それぞれ形状の違いから、ヨーク１３の内周面の４箇所の角部分には、スペースが形成されている。そこで、マグネット１４は、第一のコイル１７１及び第二のコイル１７２に対して外周側で対向し、ヨーク１３の内周面のうち４箇所の角部分に固定される。
【００２９】
マグネット１４は、８個のマグネット片からなり、いずれのマグネット片においても内面と外面とが異なる極に着磁されている。また、前側、後側それぞれ４個のマグネット１４１，１４２（後述する図６参照）では、例えば、前側のマグネット１４１（図示上側）では内面がＮ極に着磁され、外面がＳ極に着磁され、後側のマグネット１４２（図示下側）では、内面がＳ極に着磁され、外面がＮ極に着磁されている。さらに、前側のマグネット１４１は、第一のコイル１７１に対向するように配置され、後側のマグネット１４２は、第二のコイル１７２に対向するように配置されている。
【００３０】
なお、マグネット１４と、第一のコイル１７１及び第二のコイル１７２は、移動体１７を光軸Ｌ方向に駆動する「磁気駆動機構」の一例として機能する。また、本実施形態では、マグネット１４の外周面に設けられたヨーク１３は、「磁気駆動機構」の構成要件の一つとなっている。
【００３１】
第一の板バネ１５及び第二の板バネ１８は、固定体と移動体１７との間に取付けられ、移動体１７の光軸方向への移動に対して付勢するように作用している。第一の板バネ１５は、板状カバー１２面上に載置され、その固定体側の端部が板状カバー１２に保持されている。また、第二の板バネ１８は、ホルダー１９面上に載置され、その固定体側の端部がホルダー１９に保持されている。なお、本実施形態では、第一の板バネ１５及び第二の板バネ１８は、双方とも金属製の薄板から形成されており、光軸Ｌ方向における厚さを同じにしている。これにより、生産性を高めることができる。
【００３２】
ヨーク１３は、第一のコイル１７１及び第二のコイル１７２が配置されている領域の光軸Ｌ方向の寸法、および、マグネット１４の光軸Ｌ方向の寸法よりも大きくなっているため、マグネット１４と第一のコイル１７１との間に構成される磁路、及び、マグネット１４と第二のコイル１７２との間に構成される磁路からの漏れ磁束を少なくすることができる。その結果、スリーブ１７０の移動量と、第一のコイル１７１及び第二のコイル１７２に流す電流との間のリニアリティの向上に寄与できる。
【００３３】
レンズ駆動装置１は、スリーブ１７０によって保持される、円環状のワイヤースプリング（磁性部材）１６を備えている。ワイヤースプリング１６は、マグネット１４との間に作用する吸引力により、移動体１７に対して光軸Ｌ方向の付勢力を印加する。このため、移動体１７が無通電時に自重で変位することを防止することができ、ひいては移動体１７に所望の姿勢を維持させることができる。なお、このワイヤースプリング１６は、移動体１７のうち被写体側（前側）の端面に配置されるとともに、移動体１７と第一の板バネ１５との間に介在するように配置されている。
【００３４】
ヨーク１３は、外周形状が略長方形であって、対向する一対の側面部１３１は平面状に形成され、他方の対向する一対の側面部１３２には、両端部１３３が内側に凹んでいる分、中央には外側に段差状に突出する凸部１３４が形成されている。従って、光軸Ｌ方向からみたとき、ヨーク１３において、側面部１３１と、側面部１３２の両端部１３３で囲まれた長方形の領域が、第一の板バネ１５や第二の板バネ１８を配置できるスペースとなっている。
【００３５】
板状カバー１２は、ヨーク１３の被写体側に被さって、中央には入射窓１２０が形成された板部１２１を有している。板部１２１の四隅には、被写体側に延びる凸部１２２及び撮像素子側に延びる凸部１２３が形成され、板部１２１の一対の対向する辺部には、板部１２１の上面で、キャップ１１の係合部の周方向を保持する保持部１２４が形成されている。また、ホルダー１９には、その四隅に、被写体側に延びる凸部１９２が形成され、側面から被写体側に向かって柱状部材１９１が延びている。なお、ホルダー１９の凸部１９２及び板状カバー１２の凸部１２３は、それぞれ第一の板バネ１５及び第二の板バネ１８を固定体に接続する際に用いられる。
【００３６】
キャップ１１は、非磁性の薄板（例えばＳＵＳ３０４）によって構成されており、板状カバー１２の被写体側に被さって、中央には入射窓１１０が形成されている天板部１１１を有している。天板部１１１は、略長方形状をしているが、四隅及び対向する一辺の中央付近には、それぞれ矩形上の切り欠き１１２，１１３が形成されている。天板部１１１の一対の対向辺部分では、切り欠き１１３を挟む両端付近から、一対の係合脚部１１４が各々下方に延びている。係合脚部１１４には、その中央領域付近に貫通穴１１５が形成されている。
【００３７】
以上のような構成により、ホルダー１９，第一の板バネ１５，第二の板バネ１８及び板状カバー１２を重ねた状態で、キャップ１１を重ね合わせる際、板状カバー１２の保持部１２４にキャップ１１の切り欠き１１３を嵌め込むことによって、板状カバー１２の上面にキャップ１１が配置される。その際、天板部１１１の四隅に形成された切り欠き１１２内には、板状カバー１２の四隅に形成された凸部１２２が配置される。また、係合脚部１１４は、ヨーク１３の側面部１３３に当接し、かつ、凸部１３４を挟み込むように配置される。このように配置された係合脚部１１４において、例えば、貫通穴１１５より接着剤を塗布することで、側面部１３２と係合脚部１１４とを固定する。そして、レーザ溶接によって、側面部１３２と係合脚部１１４と接合することによって、キャップ１１をヨーク１３に固定することができる。
【００３８】
ここで、本実施形態に係るレンズ駆動装置１では、第二の板バネ１８は、第一のコイル１７１及び第二のコイル１７２に対する給電機能を有するとともに、マグネット１４には、その一部に絶縁用被膜が形成されている。以下、図２〜図６を用いて、より具体的に説明する。
【００３９】
図２は、第一の板バネ１５に着目したときの平面図である。図３は、第二の板バネ１８に着目したときの平面図である。図４は、第一のコイル１７１及び第二のコイル１７２に対する給電態様について説明するための説明図である。なお、図４に示す給電態様（結線態様）は一例であり、これ以外の給電態様であってもよい。また、第一の板バネ１５及び第二の板バネ１８は、いずれも移動体１７を光軸Ｌ方向に変位可能に支持するとともに、移動体１７の光軸周りの回転を阻止する機能を担っている。
【００４０】
図２において、図２（ａ）は、第一の板バネ１５を撮像素子側から（後側から前側に向けて）見ており、図２（ｂ）は、第一の板バネ１５を被写体側から（前側から後側に向けて）見ている。第一の板バネ１５は、図２（ａ），（ｂ）に示すように、板状カバー１２に保持（固定）される４つの固定部１５１と、スリーブ１７０の図示上端部（前端部）に取付けられる円環状した取付け部１５２と、固定部１５１と取付け部１５２とを連結する４本のアーム部１５３とを備えている。さらに、第一の板バネ１５の４つの固定部１５１が板状カバー１２に保持され、アーム部１５３は、移動体１７の光軸Ｌ方向への移動に合せて変位可能に板状カバー１２の面に載置されている。
【００４１】
同様に、図３において、図３（ｂ）は、第二の板バネ１８を撮像素子側から（後側から前側に向けて）見ており、図３（ａ）及び（ｃ）は、第二の板バネ１８を被写体側から（前側から後側に向けて）見ている。第二の板バネ１８は、電気的に分離された２枚のバネ片１８ａ，１８ｂからなっている。すなわち、光軸Ｌ方向の一箇所に位置する第二の板バネ１８は、電気的に分割されたバネ片１８ａ，１８ｂを備えている。バネ片１８ａ（１８ｂ）は、図３（ａ）〜（ｃ）に示すように、ホルダー１９に保持（固定）される２つの固定部１８５ａ，１８５ｂ（１８６ａ，１８６ｂ）と、スリーブ１７０の図示下端部に取付けられる円弧状した取付け部１８７ａ（１８７ｂ）と、固定部１８５ａ，１８５ｂ（１８６ａ，１８６ｂ）と取付け部１８７ａ（１８７ｂ）とを連結する２本のアーム部１８８ａ，１８８ｂ（１８９ａ，１８９ｂ）とを備えている。さらに、バネ片１８ａ，１８ｂの４つの固定部１８５ａ，１８５ｂ（１８６ａ，１８６ｂ）がホルダー１９に保持され（図３（ｃ）参照）、アーム部１８８ａ，１８８ｂ（１８９ａ，１８９ｂ）は、移動体１７の光軸Ｌ方向への移動に合せて変位可能にホルダー１９の面に載置されている。また、アーム部１８８ａ，１８８ｂ（１８９ａ，１８９ｂ）は、マグネット１４の撮像素子側の外面１４２ａと対向するように配置されている（図３（ｂ），後述する図６（ｂ）参照）。
【００４２】
さらに、バネ片１８ａ，１８ｂの各々には、端子１８１，１８２が形成されている（図３（ａ）参照）。また、端子１８１，１８２は、それぞれターミナル２０１，２０２（図１参照）と接触している。したがって、バネ片１８ａ，１８ｂに、第一のコイル１７１，第二のコイル１７２のコイル端部を電気的に接続すれば、端子１８１，１８２を介して給電を行うことができる。
【００４３】
より具体的に説明すると、図４に示すように、第二のコイル１７２の内周側より引き出された巻始め線５１（その端部がコイル端部）を、バネ片１８ｂに形成されたコイル結線部１８４にはんだ付けする一方で、第一のコイル１７１の外周側より引き出された巻き終わり線５２をバネ片１８ａに形成されたコイル結線部１８３にはんだ付けする。また、第二のコイル１７２の外周側より引き出された巻終わり線５３と、第一のコイル１７１の内周側より引き出された巻始め線５３'とを結線する。したがって、第一のコイル１７１と第二のコイル１７２を直列に接続することができるとともに、コイルの巻回方向を揃えることができる。
【００４４】
このように、第二のコイル１７２の内周側より引き出された巻始め線５１及び第一のコイル１７１の外周側より引き出された巻き終わり線５２は、複数のバネ片１８ａ，１８ｂのうち各々異なるバネ片に電気的に接続されている。
【００４５】
次に、第二の板バネ１８のバネ片１８ａ，１８ｂと、後側のマグネット１４２とが対向する位置に配置された絶縁部としての絶縁用皮膜について説明する。図５は、マグネット１４に絶縁用被膜が形成されている様子を示す断面図である。図５（ａ）は絶縁用被膜を施す前、図５（ｂ）は絶縁用被膜を施した後を示している。すなわち、マグネット１４は、上述のとおり、前側半分のマグネット１４１と後側半分のマグネット１４２とに分割されているが（光軸Ｌ方向において分割されており）、このうちマグネット１４２のみに絶縁用被膜を施している（図５（ｂ）参照）。これは、本実施形態では、第二の板バネ１８のみを給電に使用しているからである。なお、本実施形態では、板バネ１８の固定部１８５ａ，１８５ｂ（１８６ａ，１８６ｂ）とアーム部１８８ａ，１８８ｂ（１８９ａ，１８９ｂ）とが、マグネット１４２と対向（対面）するようになっている。
【００４６】
図６は、絶縁用被膜が形成されたマグネット１４を拡大した拡大図である。
【００４７】
本実施形態では、第二の板バネ１８に最も近いマグネット１４２に、絶縁用被膜が形成されている。この絶縁用被膜は、マグネット１４２の表面に、ニッケルや銅などの金属メッキを施して、その上に樹脂材料（例えばエポキシ樹脂）を被膜して形成する。金属メッキを介在させることによって、樹脂材料を塗りやすく（つけやすく）するとともに、マグネット１４２の酸化を防止することができる。絶縁用被膜の厚さとしては、例えば、金属メッキと樹脂材料を合わせて１５μｍなどである。
【００４８】
このように、マグネット１４２の全面に絶縁用被膜を形成することによって、コーティング工程を簡易にすることができる（図６（ａ）参照）。なお、マグネット１４２のうち第二の板バネ１８と対向する面のみに絶縁用被膜を形成することによって、絶縁用被膜に用いる材料を少なくし、コスト削減を図ることができる（図６（ｂ）参照）。また、本実施形態では、マグネット１４２のみについて絶縁用被膜を形成することとしているが、例えば第一の板バネ１５も給電に使用する場合には、マグネット１４１及びマグネット１４２の双方に絶縁用被膜を形成してもよい。
【００４９】
［基本動作］
本実施形態に係るレンズ駆動装置１において、移動体１７は、通常（第一のコイル１７１及び第二のコイル１７２の無通電時）は、撮像素子側（像側）に位置する。具体的には、スリーブ１７０の下端面（像側面）がホルダー１９の上面（前側面）に当接した状態である。
【００５０】
ここで、ワイヤースプリング１６は、マグネット１４との間に作用する吸引力によって、移動体１７の変位を規制している。ただし、ワイヤースプリング１６とマグネット１４との距離はある程度保たれているため、ワイヤースプリング１６とマグネット１４との吸引力が強くなり過ぎることはない。これにより、移動体１７の中心軸がずれるのを防ぎ、ひいてはチルト特性の悪化を防ぐことができる。
【００５１】
このような状態において、第一のコイル１７１及び第二のコイル１７２に所定方向の電流を流すと、第一のコイル１７１及び第二のコイル１７２は、それぞれ上向き（前側）の電磁力を受けることになる。これにより、第一のコイル１７１及び第二のコイル１７２が固着されたスリーブ１７０は、被写体側（前側）に移動し始める。このとき、第一の板バネ１５とスリーブ１７０の後端との間、及び第二の板バネ１８とスリーブ１７０の前端との間には、それぞれスリーブ１７０の移動を規制する弾性力が発生する。このため、スリーブ１７０を前側に移動させようとする電磁力と、スリーブ１７０の移動を規制する弾性力が釣り合ったとき、スリーブ１７０は停止する。また、第一のコイル１７１及び第二のコイル１７２に逆方向の電流を流すと、第一のコイル１７１及び第二のコイル１７２は、それぞれ下向き（後側）の電磁力を受けることになる。
【００５２】
その際、第一のコイル１７１及び第二のコイル１７２に流す電流量と、第一の板バネ１５及び第二の板バネ１８によってスリーブ１７０に働く弾性力を調整することで、スリーブ１７０（移動体１７）を所望の位置に停止させることができる。なお、移動体１７に保持させたワイヤースプリング１６とマグネット１４との付勢力も利用することで、移動体１７に光軸方向の推進力を発生させる磁気駆動機構の小型化を図ることができる。また、電磁力と弾性力との釣り合いを利用してスリーブ１７０を停止させることで、衝突音の発生を防ぐことができるようになっている。
【００５３】
ここで、上述した図５（ｂ）の状態では、移動体１７が原点位置にある様子を示している。図示していないが、移動体１７は最も被写体側に移動した場合でもマグネット１４の外面１４２ａと第二の板バネ１８とは当接しないように間隙が構成されている。すなわち、通常の動作では、スリーブ１７０の光軸Ｌ方向への移動に併せて、アーム部１８８ａ，１８８ｂ（１８９ａ，１８９ｂ）も光軸Ｌ方向に延びたり縮んだりするが、上記間隙により、アーム部１８８ａ，１８８ｂ（１８９ａ，１８９ｂ）は、マグネット１４の外面１４２ａには当接しないようになっている。
【００５４】
その一方で、例えば、レンズ駆動装置１が組み込まれた物を高い所から落としてしまった場合など、通常の動作では考えられないような、レンズ駆動装置１が強い衝撃を受けた場合に、第二の板バネ１８がマグネット１４２に接触する場合があり、このような弊害が生じる虞がある。特に、アーム部１８８ａ，１８８ｂ（１８９ａ，１８９ｂ）は、ホルダー１９面上に載置されただけなので、自由に動くことができる。そのため、上述したような、レンズ駆動装置１に落下衝撃等の強い衝撃が加わると、アーム部１８８ａ，１８８ｂ（１８９ａ，１８９ｂ）が自由に変形し、マグネット１４の外面１４２ａに接触する可能性がある。
【００５５】
しかし、本実施形態に係るレンズ駆動装置１では、マグネット１４２に絶縁用被膜が形成されていることから、万が一、レンズ駆動装置１が強い衝撃を受け、マグネット１４２と第二の板バネ１８とが衝突した場合であっても、両者の間で電気的短絡が生ずるのを防ぐことができ、ひいてはアクチュエータの動作安定性を高めることができる。また、絶縁用被膜の材質や厚さによっては、緩衝効果を期待することもできる。
【００５６】
［実施形態等の効果］
以上説明したように、本実施形態に係るレンズ駆動装置１によれば、第二の板バネ１８を構成するバネ片１８ａ，１８ｂとマグネット１４の間に、これらを電気的に絶縁する絶縁部（本実施形態では絶縁用被膜）が介在するので、レンズ駆動装置１が強い衝撃を受けて、仮に、バネ片１８ａ，１８ｂとマグネット１４とが衝突した場合であっても、電気的な短絡が生じるのを防ぐことができ、ひいてはアクチュエータの動作安定性を高めることができる。
【００５７】
また、本実施形態では、絶縁部として絶縁用被膜を採用し、厚みを薄くすることができるので、レンズ駆動装置１の小型化要求を満たしつつ、アクチュエータの動作安定性を高めることができる。具体的に説明すると、光軸Ｌ方向において、バネ片１８ａ，１８ｂとマグネット１４２との距離を長くすることによっても、電気的短絡を防ぐことはできるが、近年のレンズ駆動装置１の小型化要求を十分に満たすことは難しい。現に、光軸Ｌ方向におけるスペースの余裕はそれほどない。そこで、本発明によれば、例えば、絶縁部をシールや膜状にするなど厚みを薄くすることによって、レンズ駆動装置１の小型化要求を満たしつつ、電気的短絡を防ぐことができる。
【００５８】
また、この絶縁用被膜をマグネット１４に形成することによって、製造工程の容易化を図ることができる。もちろん、この絶縁用被膜は、マグネット１４ではなくバネ片１８ａ，１８ｂに形成することとしてもよいし、両方に形成することとしてもよい。
【００５９】
また、本実施形態では、バネ部材として、光軸方向において離間する二箇所に配置された第一の板バネ１５と第二の板バネ１８を有しており、このうち第二の板バネ１８が、２個のバネ片１８ａ，１８ｂに分割されていることとしたので、２個のバネ部材（第一の板バネ１５と第二の板バネ１８）により、静止時又は可動時の移動体１７がガタつくのを防ぎつつ、アクチュエータの動作安定性を高めることができる。
【００６０】
［変形例］
レンズ駆動装置において、第二の板バネ１８とマグネット１４２との間隙に光軸方向においてスペースを設ける余裕があれば、更に大きくするようにしてもよい。
【００６１】
また、図７は、マグネット１４のうち第二の板バネ１８と対向する面に、樹脂からなる絶縁体シール１００を貼り付けた様子を示す図である。
【００６２】
図７に示すように、後側のマグネット１４２のうち第二の板バネ１８（２個のバネ片１８ａ，１８ｂ）と対向する面には、樹脂からなる絶縁体シール１００が貼り付けられている。このようにして、マグネット１４と第二の板バネ１８が電気的に短絡するのを防いでもよい。また、図７では絶縁体シール１００を用いているが、その他、絶縁体シール１００に代えて、絶縁体の接着剤やゲルであってもよい。また、マグネット１４と第ニの板バネ１８との間に、絶縁体部品を介在させても構わない。
【００６３】
なお、絶縁体シール等は、マグネット又は板バネに当接させているが、両者間の間隙に配置するようにしてもよい。
【００６４】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００６５】
本発明に係るレンズ駆動装置は、アクチュエータ又はその駆動回路の動作安定性を高めることが可能なものとして有用である。
【図面の簡単な説明】
【００６６】
【図１】本発明の実施の形態に係るレンズ駆動装置の機械構成を示す分解斜視図である。
【図２】第一の板バネに着目したときの平面図である。
【図３】第二の板バネに着目したときの平面図である。
【図４】第一のコイル及び第二のコイルに対する給電態様について説明するための説明図である。
【図５】マグネットに絶縁用被膜が形成されている様子を示す断面図である。
【図６】絶縁用被膜が形成されたマグネットを拡大した拡大図である。
【図７】マグネットのうち第二の板バネと対向する面に、樹脂からなる絶縁体シールを貼り付けた様子を示す図である。
【符号の説明】
【００６７】
１  レンズ駆動装置
１１  キャップ
１２  板状カバー
１３  ヨーク
１４  マグネット
１５  第一の板バネ
１６  ワイヤースプリング
１７  移動体
１８  第二の板バネ
１９  ホルダー
２０  ターミナル
【図１】
0005146951.tif 000002
【図２】
0005146951.tif 000003
【図３】
0005146951.tif 000004
【図４】
0005146951.tif 000005
【図５】
0005146951.tif 000006
【図６】
0005146951.tif 000007
【図７】
0005146951.tif 000008